Podtech/llm-jp-corpus-v4-ja_patent huggingface dataset:
(57)【要約】【課題】  ハードトップ式オープンカーの場合、オープン時の屋根を車体内に収納する空間の制約のため、屋根を極力小型化する必要があった。このため、座席を前席だけにしたり、後席があっても極めて狭い空間しか確保できなかった。【解決手段】  ハードトップ式オープンカーの屋根部分を３分割し、中央部分の屋根に配置される前後の屋根を連動させるためのリンク軸をクランク状に配置することで、屋根の上面側のリンク軸位置と屋根の下面側のリンク軸位置がずれる事になり、屋根を伸ばした状態すなわち閉鎖した状態での雨水等の車内への浸水を防ぎ、かつ、気密性確保が可能となる構造とした。  これにより、屋根が３分割できるため、その屋根部分を延ばした状態での必要な長さが確保できるので、結果として後席を広く快適な空間にできる。また、その屋根は３分割して重ねて収納できるため、収納場所の占有面積を小さくできるため、車体全体の大きさを抑えることができる。【選択図】図１
2008302914.tif 000002
【特許請求の範囲】
【請求項１】
オープンカーにおける屋根を３分割（１、２、３）し、中央部分の屋根（２）に配置されるリンク軸（４、５）をクランク状に回転軸（６）と固着結合することで、前部屋根（１）と後部屋根（３）を同時に揺動させることが可能となる構造。
【発明の詳細な説明】
【技術分野】
【０００１】  本発明は、屋根部分を分割し、重ねた状態で収納可能とする構造を持ったハードトップ式オープンカーに関する。
【発明の開示】
【発明が解決しようとする課題】
【０００２】  ハードトップ式オープンカーの場合、オープン時の屋根を車体内に収納する空間の制約のため、屋根を極力小型化する必要があった。このため、座席を前席だけにしたり、後席があっても極めて狭い空間しか確保できなかった。
【課題を解決するための手段】
【０００３】  ハードトップ式オープンカーの屋根部分を３分割し、重ねて収納できる構造とする。
【発明の効果】
【０００４】  屋根の閉鎖状態での、前面ガラス枠と接合する部分（１０）から後面ガラス枠と接合する部分（１１）までの長さを従来よりも大きく確保できるので、その結果として後席を広く快適な空間にできる。また、その屋根は３分割して重なった状態で収納できるため、収納場所の占有面積も小さくできる。
【発明を実施するための最良の形態】
【０００５】  以下、本発明の実施の形態を図１〜図４に基づいて説明する。【０００６】  図において屋根（１）は、リンク軸（４、８、４′、８′）により屋根（２）から揺動可能な状態で連結支持される。同様に屋根（２）は、リンク軸（５、９、５′、９′）により屋根（３）から揺動可能な状態で連結支持される。【０００７】  リンク軸（４、５）は、回転軸（６）にクランク状に固着結合され、屋根（２）に配置される。
なお、各リンク軸の両端は回転軸となっており、屋根側の軸受けを介して揺動可能な状態で結合される。（例（１３）のとおり。他のリンク軸の符号は省略した。）【０００８】  以上の構造により、前部屋根（１）と後部屋根（３）を同時に揺動させることが可能となり、かつ、屋根（２）の上面側のリンク軸（４）位置と下面側のリンク軸（５）の相対位置がクランク状にずれる事になり、屋根を閉鎖した状態での雨水等の車内への侵入を防ぎ、気密性確保が容易となる。【０００９】  図２は、屋根（２）に配置される、回転軸（６）の軸受けとなるリンクケース（７）の構造を示す。
リンク軸（４）は屋根（１）を揺動可能な状態で連結支持するため、リンクケース（７）の上面部分のうちリンク軸（４）の揺動範囲分を開放する必要があり、同様にリンク軸（５）は屋根（３）から揺動可能な状態で連結支持されるため、リンクケース（７）の下面部分のうちリンク軸（５）の揺動範囲分を開放する必要がある。（図では、リンクケースの前後方向に全部開放して記載してある。）【００１０】  なお、リンクケース（７）は屋根（２）と一体成型する方法でも実施可能である。（「図１」に例示）【００１１】  リンクケース（７）の開放部分の上側と下側とでクランク状のずれを持つことにより、上側に受けた雨水等が下側すなわち室内に落下することが無く、雨水等の排水に必要な樋（１２）を通じて車外に放流させることできる。
なお、リンク軸が揺動するための空間等の隙間は、必要な箇所に弾性をもった部材を装着し圧着させることで気密性を確保できる。
【産業上の利用可能性】
【００１２】  自動車製造・販売業において、我国では比較的少ないオープンカーの製造・販売台数の増加に寄与できる。
【図面の簡単な説明】
【００１３】
【図１】屋根を４分の１程度開放させた位置での発明の構造を示した斜視図
【図２】発明の構造のうち屋根を支持するリンク軸の構造を抜き出した斜視図
【図３】屋根を閉鎖状態（延ばした状態）にして横から見た構造図
【図４】屋根を開放状態（たたんだ状態）にして横から見た構造図
【符号の説明】
【００１４】    １  分割屋根の前部
２  分割屋根の中央部
３  分割屋根の後部
４  中央部の屋根の上面側のリンク軸
５  中央部の屋根の下面側のリンク軸
６  中央部分の回転軸
７  リンクケース
８  中央部の屋根と前部の屋根を揺動連結するリンク軸
９  中央部の屋根と後部の屋根を揺動連結するリンク軸
１０  前面ガラス枠接合部
１１  後面ガラス枠接合部
１２  雨水等を排水する樋
１３  リンク軸端の回転軸と屋根側の軸受けの位置の例
【図１】
2008302914.tif 000003
【図２】
2008302914.tif 000004
【図３】
2008302914.tif 000005
【図４】
2008302914.tif 000006
(57)【要約】【課題】  競技用自転車ロードバイクに乗って走行する時、顔が下向きになり前方を見ない状態で走行する時がある。この状態は危険である。【解決手段】  上から下向きに見て前方の視野を見ることができる本発明の反射鏡を自転車ロードバイクのハンドル部に取り付けこれを解決する。【選択図】図１
2008302916.tif 000002
【特許請求の範囲】
【請求項１】
上から下向きに見て前方の視野を広角的に正像で見ることができることを特徴とする反射鏡を自転車に取り付ける工夫したもの。
【請求項２】
前記記載の前方の視野を広角的に正像で見ることができる工夫としてペンタゴン角度で凸面鏡と平面鏡を組み合わせたことを特徴とする反射鏡を自転車に取り付ける工夫したもの。
【発明の詳細な説明】
【技術分野】
【０００１】  本発明は反射鏡に関するものです。自転車に本発明の反射鏡を取り付けることにより、自転車に乗って前かがみ姿勢で顔が下向きの状態で走行する時に反射鏡を上から下向きに見て前方の視野を広角的に正像で見ることができるようにした反射鏡である。
【背景技術】
【０００２】  本来、前方を見るには反射鏡など必要とせず自動車、モターバイクや自転車にはバックミラーとして背景などを確認するためにある。しかし、特に競技用自転車、ロードバイクに乗って走行する姿勢は前かがみ状態で走行し、常に顔を持ち上げた姿勢で前方を見ながら走行しなくてはならない。疲れてくると顔が下向きになり前方を見ない状態で走行する時がある。この状態は危険であるため顔が下向き状態でも前方の視野を広角的に正像で見ることができるようにした反射鏡である。
【発明の開示】
【発明が解決しようとする課題】
【０００３】  上記の如く、競技用自転車ロードバイクに乗って走行する姿勢は前かがみ状態で走行し、常に顔を持ち上げた姿勢で前方を見ながら走らなくてはならない。疲れてくると顔が下向きになり前方を見ない状態で走行する時がある。この状態は危険であるためこれを解決することを課題とする。
【課題を解決するための手段】
【０００４】  この課題を解決するための請求項１の発明は、上から下向きに見て前方の視野を広角的に正像で見ることができることを特徴とする反射鏡を自転車のハンドル部に取り付ける工夫をしたもの。本発明の反射鏡を取り付けることにより下向きに反射鏡を見て前方の視野を確認することができる。【０００５】  この課題を解決するための請求項２の発明は、前方の視野を広角的に正像で見ることができる工夫としてペンタゴン角度で凸面鏡と平面鏡組み合わせたことを特徴とする反射鏡を自転車のハンドル部に取り付ける工夫をしたもの。本発明の反射鏡を取り付けることにより下向きに反射鏡を見て前方の視野を確認することができる。
【発明の効果】
【０００６】  本発明の反射鏡を自転車のハンドル部に取り付けることにより、顔が下向きになっても反射鏡を見ることにより前方の視野を確認でき危険を回避することができる。
【発明を実施するための最良の形態】
【０００７】  図１は、上から下向きに見て前方の視野を広角的に正像で見ることができることを特徴とする反射鏡を自転車のハンドル部に取り付ける工夫したもの。同図は反射鏡を自転車のハンドル部に取り付けた全体図を示す。【０００８】  図２は、前方の視野を広角的に正像で見ることができる工夫としてペンタゴン角度で凸面鏡と平面鏡を組み合わせたことを特徴とする反射鏡を自転車のハンドル部に取り付ける工夫したもの。同図が示す凸面鏡１で前方の視野を広角的に捉え逆像した視野を平面鏡２で正像に戻し上から見ることができる。ブラケット３でハンドルに取り付け、ボルト４でブラケットを締め付け固定する。反射鏡の方向を５で適正角度にすることができる。【０００９】  これらの反射鏡全体の材料として合成樹脂などで軽量に製作することができる。
【産業上の利用可能性】
【００１０】  本発明に係る反射鏡は、自転車の有用な部品として量産し販売する産業分野で利用することができる。
【図面の簡単な説明】
【００１１】
【図１】本発明の反射鏡を自転車のハンドル部に取り付けた外観斜視図である。
【図２】反射鏡の平面図、正面図、側面図である。
【符号の説明】
【００１２】１、    凸面鏡
２、    平面鏡
３、    ブラケット
４、    ボルト
５、    角度付け球
【図１】
2008302916.tif 000003
【図２】
2008302916.tif 000004
(57)【要約】【課題】本発明は、簡単な構造でパネル３の見栄えを良くすると共に、吸音材５の貼付作業の効率を向上させるキャビネットラック１のパネル構造を提供することを目的としている。【解決手段】パネル３端部には折曲部６を形成し、パネル３内面には吸音材取り付け爪７を設け、折曲部６と吸音材取り付け爪７とに係止させて吸音材５をパネル３に貼付可能とし、吸音材５の端面を吸音材取り付け爪７に嵌合させることで露出させず見栄えをよくしたことを特徴とする。【選択図】図２
2008302078.tif 000002
【特許請求の範囲】
【請求項１】
本体の四方側面をパネルで施蓋し、該パネルには吸音材を貼付して構成される各種機器を収納するためのキャビネットラックのパネル構造であって、前記パネル端部には折曲部を形成し、前記パネル内面には吸音材取り付け爪を設け、前記折曲部と前記吸音材取り付け爪とに係止させて前記吸音材を前記パネルに貼付可能とすることを特徴とするキャビネットラックのパネル構造。
【発明の詳細な説明】
【技術分野】
【０００１】
本発明は、本体の四方側面をパネルで施蓋し、パネルには吸音材を貼付して構成される各種機器を収納するためのキャビネットラックのパネル構造に関するものである。
【背景技術】
【０００２】
近年、サーバー等の通信機器は、高容量でコンパクトな設計が主流であり、通信機器が密集して小さなスペースに収納されるため、排熱が大きな課題となっている。機器の排熱効率を上昇させるため小型で回転数の高いファンを用いることがあるが、騒音が大きく、静かなオフィス等に設置したキャビネットラックからの音漏れも問題となっていた。
【０００３】
従来、図６に示すように、キャビネットラックの本体の側面を施蓋するパネル３１の内側に吸音材３２を貼付し、キャビネットラック内で発生した音を吸音材３２で吸収させて外へ漏れないような工夫をしていた。その貼付方法は、吸音材３２の片面一面に両面粘着テープ３３を貼り付けた吸音材３２を、パネル３１に貼付形状に切断し、パネル３１を本体に取り付けるときに干渉しないように位置決めをして貼付していた。
【特許文献１】特開２００３−１０４３００号公報
【発明の開示】
【発明が解決しようとする課題】
【０００４】
しかしながら上記従来の技術では、パネルの貼付する吸音材の切断面が露出してしまい、見栄えが良くない。また、片面前面を粘着テープによりパネルに貼付するため、貼り付け作業時に位置ずれが発生した場合、修正が難しかった。製品により貼付位置等にばらつきが出るため、吸音材が浮いてしまったりすると吸音性能が十分発揮できず、キャビネットラックの性能が安定しないという欠点があった。
【課題を解決するための手段】
【０００５】
そこで本発明は、簡単な構造でパネルの見栄えを良くすると共に、吸音材の貼付作業の効率を向上させるキャビネットラックのパネル構造を提供することを目的とし、その構造は、パネル端部には折曲部を形成し、パネル内面には吸音材取り付け爪を設け、折曲部と吸音材取り付け爪とに係止させて吸音材をパネルに貼付可能とすることを特徴とする。
【発明の効果】
【０００６】
本発明に係るキャビネットラックのパネル構造は、パネル端部には折曲部を形成し、パネル内面には吸音材取り付け爪を設け、折曲部と吸音材取り付け爪とに係止させて吸音材をパネルに貼付可能とするため、吸音材の切断面が、パネルの折曲部と吸音材取り付け爪とで被覆され、露出しないので見栄えがよくなる。また、吸音材の貼付は、パネルの折曲部と吸音材取り付け爪とに合わせて行うので、貼付の位置決めが容易にでき、作業性が向上する。位置決めがしやすくなるので、貼付位置にばらつきがなくなり、吸音材も均一に貼付でき、吸音性能も安定し、より性能の良いキャビネットラックを提供できる。
【発明を実施するための最良の形態】
【０００７】
本発明に係るキャビネットラックのパネル構造に実施例を図１〜図５の添付図面に基いて説明する。
【０００８】
キャビネットラック１は、本体２の四方側面をパネル３で施蓋して構成される。本体２にはマウントアングル４が設けられ、このマウントアングル４に通信機器や電子機器等を固定して用いられる。社会の情報化が進み、通信機器や電子機器が多用されるようになり、キャビネットラック１に密集して配置されることが多くなってきている。そのため、キャビネットラック１の内部では温度上昇が問題となっており、それを解決するためにファンを設けて排気を進める方法がとられてきた。さらに排熱効率を追求した結果、小型で回転数のファンを用いることが多いが、その場合、ファンが従来のものより大きな音を発し、この音がキャビネットの外部へ漏れてしまうという新しい問題が発生している。
【０００９】
キャビネットラック１の外部への音漏れを防止するため、本体側面に取り付けられるパネル３内側に吸音材５を貼付するという方法がある。パネル３は、端部に折曲部６が形成されている。また、パネル３の内面には左右に吸音材取り付け爪７を設ける。吸音材取り付け爪７は、パネル取り付け部７ａと吸音材嵌合部７ｂとを折曲形成している。
【００１０】
吸音材５のパネル３との接着面には、前面ではなく部分的に両面粘着テープ８を貼付しておく。図３では同幅寸法の両面粘着テープ８を等間隔に貼付している。吸音材５は、パネル３上下端部の折曲部６と左右の吸音取り付け爪７により、位置決めを行ってから、一ヶ所ずつ粘着テープ８でパネル３に固定し、吸音材５の端部は折曲部６と吸音取り付け爪７とにはめ込む。
【００１１】
吸音材５は切断面をパネル３の折曲部６や吸音取り付け爪７に嵌合させることで、露出させず見栄え良くパネルが構成する。また、吸音材取り付け爪７を設けたことで、容易に吸音材５の貼付位置への位置決めができ、手間であった吸音材５の貼付作業が容易となる。そして、吸音材５をパネル３に貼付するための粘着テープ８は、吸音材５の前面でなく一部分にし、部分ごとに貼付することで、吸音材５の位置ずれを減らし、もし位置がずれてしまってもその部分だけの貼り直しができるようにした。貼付位置のばらつきがなくなり、吸音性能を安定させる。
【００１２】
吸音材取り付け爪７がパネル３に設けられることで、パネル３の補強の役割も果たす。パネル３は衝撃や負荷に対して撓んだり曲がったりしにくくなる。
【図面の簡単な説明】
【００１３】
【図１】キャビネットラックを示す説明図である。
【図２】キャビネットラックのパネル構造を示す説明図である。
【図３】キャビネットラックのパネル構造を示す説明図である。
【図４】図３におけるＡ部拡大図である。
【図５】図３におけるＢ部拡大図である。
【図６】従来のキャビネットラックのパネル構造を示す説明図である。
【符号の説明】
【００１４】
１    キャビネットラック
２    本体
３    パネル
４    マウントアングル
５    吸音材
６    折曲部
７    吸音取り付け爪
８    両面粘着テープ
【図１】
2008302078.tif 000003
【図２】
2008302078.tif 000004
【図３】
2008302078.tif 000005
【図４】
2008302078.tif 000006
【図５】
2008302078.tif 000007
【図６】
2008302078.tif 000008
(57)【要約】      （修正有）【課題】捺印台がきれいに、少ないスタンプインク及び朱肉でも鮮明な捺印が出来る様にする。【解決手段】捺印台１を微粒発泡ゴム（スポンジ）又は弾力性素材で球面体型状を形成し、少ないインクまたは朱肉を付け印を押すことにより内側から印台が沈み、外周に向かって力が掛る様にした。捺印台を朱肉本体にセットして捺印朱肉セットにする。【選択図】図２
2008302682.tif 000002
【特許請求の範囲】
【請求項１】
捺印台の表面が球面型状をした弾力性のある素材を使った捺印台で、形等大小にかかわらず他の物と合体させた物、あるいはケース等に入れた物
【請求項２】
捺印台部の表面が球面型状であり、弾力性のある素材を使用した捺印台で朱肉本体の下部にセットされた捺印・朱肉セット
【発明の詳細な説明】
【技術分野】
【０００１】本発明は捺印台の表面が球面型状をした捺印台と捺印朱肉セットであり、捺印時に於けるミス及びムラを解決できるものである。
【背景技術】
【０００２】従来の捺印台は平坦なゴム等により印の内部が不鮮明に捺印され、朱肉をたっぷり付け捺印も汚れてしまう事が多かった。また、日付印・ゴム印等も不鮮明で特に日付等は捺印しても写らなかった事も多かった。
【発明の開示】
【発明が解決しようとする課題】
【０００３】捺印がきれいに少ないインク・朱肉でも鮮明な捺印が出来る様にしたものである。
【課題を解決するための手段】
【０００４】捺印台の素材を微粒発泡ゴム（スポンジ）等、弾力性のある素材にし、弾力により捺印の時、印の内圧が多く掛る様に捺印台の表面を球面型状にした。
【発明の効果】
【０００５】捺印する印が大きくなればなる程、捺印すると中心部が不鮮明であったがこの表面が球面型状の捺印台を使用すると捺印した時、印の中心より沈み、除々に外周に向かって力が掛り捺印され鮮明である。また、特に付きにくい日付印等の回転印も少し段差が有っても鮮明に捺印できる。ゴム印も同様である。
【実施例１】
【０００６】図１・図２の様な球面型状の一体型捺印台で微粒発泡ゴム（スポンジ）又は弾力性素材使用により捺印する時、印の中心より沈み、除々に外周に向って力が掛り鮮明な捺印が出来る。特にゴム印・回転印・日付印等は回転ゴム印の段差が有っても鮮明に捺印が出来る。ゴム印等に有利である。
【実施例２】
【０００７】図３・図４の様な捺印台を球面型状にする為に、図５の断面図の様に下台にゴム、または合成樹脂等の表面素材より硬い物で球面型状に成型し、それに微粒発泡ゴム（スポンジ）又は弾力性素材を密着させ球面型状の捺印台が出来る。この構造の捺印台は特に印鑑等に適しており、印の中心がより強く押される為に鮮明に捺印出来る。日付印や回転印等も今まで写らなかった日付部が鮮明に捺印出来る。
【実施例３】
【０００８】図８の様な小鉢型で内部が球面型状をした印台ケースに微粒発泡ゴム（スポンジ）又は弾力性素材を密着させ、図６・図７の様な捺印台が出来る。この捺印台を図９の様に、朱肉本体の底にセットする事によって捺印時に底の捺印台を外し、何時でもどんな状態の場所に於いても、鮮明な捺印が出来る捺印朱肉セットである。
【図面の簡単な説明】
【０００９】
【図１】本発明の球面体捺印台の平面図である。
【図２】本発明の球面体捺印台の側面図である。
【図３】本発明の下台付球面体捺印台の正面図である。
【図４】本発明の下台付球面体捺印台の側面図である。
【図５】本発明の下台付球面体捺印台の断面図である。
【図６】本発明の印台ケース付球面体捺印台の正面図である。
【図７】本発明の印台ケース付球面体捺印台の側面図である。
【図８】本発明の印台ケース付球面体捺印台の断面図である。
【図９】本発明の捺印朱肉セットの参考図である。
【符号の説明】
【００１０】１  球面体の捺印台（微粒発泡ゴム、又は弾力性素材）
２  捺印台下台（ゴム又は合成樹脂）
３  印台ケース
【図１】
2008302682.tif 000003
【図２】
2008302682.tif 000004
【図３】
2008302682.tif 000005
【図４】
2008302682.tif 000006
【図５】
2008302682.tif 000007
【図６】
2008302682.tif 000008
【図７】
2008302682.tif 000009
【図８】
2008302682.tif 000010
【図９】
2008302682.tif 000011
(57)【要約】【課題】    洗濯機で洗濯の際、貴重品等例えば携帯電話機や、腕時計及び自動車のキー等の誤投入を防止する為に、洗濯物の投入時に簡単に発見できるようにしたものである。【解決手段】洗濯機本体１、の洗濯物投入口付近２、に警告センサー等を取り付け又、日常の貴重品等、例えば携帯電話機や、腕時計及び、自動車のキー等にＩＣタグ等を取り付けておき、洗濯物投入の際に感知警告音もしくは、警告ランプ等によって貴重品等の誤投入を防止できるものである。【選択図】図１
2008302175.tif 000002
【特許請求の範囲】
【請求項１】
洗濯機への貴重品誤投入を防止するために、洗濯物の投入口付近に、感知警告センサー等を取り付けたものである。
【請求項２】
貴重品、例えば携帯電話機、腕時計及び自動車のキー等にＩＣタグ等を取り付けて、感知警告センサー等で感知できるようにして、例えば洗濯機への貴重品誤投入を防止できるようにしたものである。
【発明の詳細な説明】
【技術分野】
【０００１】本発明は、洗濯時に衣類などにまぎれ込んだ貴重品、例えば携帯電話機、腕時計及び自動車のキー等の誤投入を防止するために、それらの貴重品にＩＣタグ等を取付け又、洗濯機の洗濯物投入口付近に警告センサー等を取付けて、貴重品等を感知警告できるようにしたものである。
【背景技術】
【０００２】従来、洗濯機には誤投入防止機能が無く、衣類など共にまぎれ込んだ携帯電話機、腕時計及び自動車のキー等の貴重品を不意に洗濯してしまい、それらの機器を壊してしまうことが多発している。
【発明の開示】
【発明が解決しようとする課題】
【０００３】洗濯機で洗濯の際、貴重品など例えば携帯電話機や、腕時計及び自動車のキー等の誤投入を防止する為に、洗濯物の投入時に簡単に発見できることが望ましい。
【課題を解決する為の手段】
【０００４】本発明は、それらの課題を解決する為に発案されたもので、それを図面について説明すれば、洗濯機本体１、の洗濯物投入口付近２、に警告センサー等を取り付け又、日常の貴重品等、例えば携帯電話機や、腕時計及び、自動車のキー等にＩＣタグ等を取り付けておくようにする。
【発明の効果】
【０００５】このようにすれば、洗濯機で洗濯の際に、衣類などに不意にまぎれ込んだ貴重品等、例えば携帯電話機や、腕時計及び、自動車のキー等の誤投入を防止することができるものである。
【実施例】
【０００６】洗濯機に洗濯物を投入する際、衣類にまぎれ込んだり、不意に投入しようとした貴重品等を、ＩＣタグ等と警告センサー等の働きにより感知警告音もしくは、警告ランプ等によって発見できるものである。
【図面の簡単な説明】
【０００７】
【図１】  洗濯機の平面図である。
【図２】  洗濯機の断面図である。
【符号の説明】
１、  洗濯機の本体
２、  洗濯槽
３、  洗濯物投入口
【図１】
2008302175.tif 000003
【図２】
2008302175.tif 000004
(57)【要約】【課題】  ベッドにて使用する掛け布団や敷き布団、または洋服等のその湿気を除くために干せる構造を持ったベッドを提供する【解決手段】  上記問題点を解決するために、本発明の請求項１に係わるベッド１は、布団７等を掛けることの出来るパイプハンガー３を、ベッド１の任意の場所に固設または伸縮式にて設ける。【選択図】図１
2008302173.tif 000002
【特許請求の範囲】
【請求項１】
ベッド１において布団７等を掛けることの出来るパイプハンガー３を、ベッド１の任意の場所に固設または伸縮式にて設けたことを特徴とするベッド１。
【請求項２】
請求項１のパイプハンガー３を折りたたみ式とし設け、使用しない時には折りたたんでおき、固定方法は、例えば起伏自在のリクライニング式の座椅子と同じ構造とし、水平状態から、段階的に引き上げていき、適当なところで、ロックが出来、また、解除するときには、そのまま引き上げ方向に一旦倒すことにより、ロックが解除され、元の水平状態に戻すことが出来る請求項１記載のベッド１。
【発明の詳細な説明】
【技術分野】
【０００１】  本発明は布団や洋服を掛けられる構造、例えばパイプハンガーを有するベッドに関する。
【背景技術】
【０００２】  従来より、ベッド上の布団においては、敷きっぱなしにすることが多く、湿気を帯びやすい。
【発明の開示】
【発明が解決しようとする課題】
【０００３】  ベッドにて使用する掛け布団や敷き布団は、時々その湿気を除くため、日干し等をする必要があるが、日干しする場所まで運ばなければならず重労働である。
【課題を解決するための手段】
【０００４】  上記問題点を解決するために、本発明の請求項１に係わるベッドは、布団や洋服を掛けることの出来るパイプハンガーを、ベッドの任意の場所に固設または伸縮式にて設ける。【０００５】  請求項２では、請求項１のパイプハンガーを、折りたたみ式とし設け、使用しない時は折りたたんでおき、固定方法は例えば起伏自在のリクライニング式の座椅子と同じ構造とし、水平状態から、段階的に引き上げていき、適当なところで、ロックが出来、また、解除するときには、そのまま引き上げ方向に一旦倒すことにより、ロックが解除され元の水平状態に戻すことが出来る。
【発明の効果】
【０００６】  本発明は以上のように布団等を干す場合には、固設したパイプハンガーには直接、伸縮式にしたパイプハンガーではこれを伸ばし、ネジで固定してから、また折りたたみのものではこれを引き上げロックにて固定後パイプハンガーに掛けることにより、簡単に布団干し等が行え早く乾燥させることが出来る。
【発明を実施するための最良の形態】
【０００７】  以下、本発明の一実施例を図面に基づき説明する。図１は、本発明の斜視図で、図２は本発明のベッドのパイプハンガーに布団を掛けた側面図、図３は本発明の正面図、図４は請求項２の平面図、図５は請求項２のパイプハンガーを引き上げている様子を示した側面図である。（１）はベッド本体、（２）はベッドの足、（３）はパイプハンガー、（４）はマットレス、（５）は物入れ、（６）は固定ネジ、（７）は布団で、図１から図３は、ベッドの任意の場所例えば、ベッドの足（２）の上部辺りにパイプハンガー（４）を固設または伸縮式にて設けた図である。
【実施例】
【０００８】  請求項１の本発明を使用するときは、ベッド（１）の足（２）の上部に固設したパイプハンガー（４）には直接、伸縮式にしたパイプハンガー（４）ではこれを伸ばし、固定ネジ（６）で固定してから布団（７）を掛ける。【０００９】  請求項２の本発明を使用するときは、水平状態にあるパイプハンガー（４）を引き上げ、ロックのかかる適当な位置にて、パイプハンガー（４）に布団（７）を掛ける。【００１０】  以上の請求項１や請求項２の方法により布団（７）をベッド（１）に設けたパイプハンガー（４）に掛けることで、布団（７）の湿気が早く取れ、結果的に乾きやすくなる。【００１１】  また、パイプハンガーの形は、特にこだわらないが、布団が干せるようなら、板状にしても同じ目的を達することが出来る。さらにベッドの上部全体にパイプハンガーを渡すことで、布団を干す部分がより広範囲になる。
【産業上の利用可能性】
【００１２】  本発明はベッドの任意の場所において、固設または伸縮式にしたパイプハンガーに布団や洋服等を掛けることが出来るので、使用した布団等の湿気を早く取ることが出来るベッドとして利用することが出来る。
【図面の簡単な説明】
【００１３】
【図１】本発明の斜視図
【図２】本発明のパイプハンガーに布団を掛けた側面図
【図３】本発明の正面図
【図４】本発明請求項２の平面図
【図５】本発明請求項２のパイプハンガーを引き上げている様子を示した側面図
【符号の説明】
【００１４】１  ベッド本体
２  ベッドの足
３  パイプハンガー
４  マットレス
５  物入れ
６  固定ネジ
７  布団
【図１】
2008302173.tif 000003
【図２】
2008302173.tif 000004
【図３】
2008302173.tif 000005
【図４】
2008302173.tif 000006
【図５】
2008302173.tif 000007
(57)【要約】      （修正有）【課題】輪ゴム鉄砲に輪ゴムを装填し、そして発射したとき、左右ゴム張力の誤差と輪ゴムの張力方向と進行方向の角度誤差による命中精度の悪さを改善し、輪ゴム鉄砲を実用的で有用な道具に改良する。【解決手段】ゴム鉄砲銃身３の先端に輪ゴムの引っ掛け具である張力バランスローラー１によって、左右のゴム張力の均衡を取りながら輪ゴムを装填する事により、輪ゴムを発射した時、左右方向の進行を安定させる。又、ゴム張力バランスローラー１の後方に水平棒２を取り付け、発射された輪ゴムのゴム張力方向と進行方向を一致させる事で上下方向の進行を安定させる。張力バランスローラー１と水平棒２を取り付ける事により、発射された輪ゴムの上下左右方向の進行を安定させて命中精度を向上する。【選択図】図２
2008302178.tif 000002
【特許請求の範囲】
【請求項１】
輪ゴム鉄砲銃身先端に、装填された輪ゴムの左右張力の均衡を取って、発射された輪ゴムの左右方向の進行を安定させる目的の張力バランスローラーを輪ゴムの引っ掛け具として取り付ける。又、張力バランスローラーの後方に、発射された輪ゴムの張力方向と進行方向を一致させて輪ゴムの上下の進行方向を安定させる目的の水平棒を取り付ける。このように、張力バランスローラーと水平棒を組み合わせた装置を、輪ゴム鉄砲の命中精度向上装置として取り付ける。
【発明の詳細な説明】
【技術分野】
【０００１】本発明は、従来の輪ゴム鉄砲は、輪ゴムの装填と発射がゴムの不安定さと輪ゴム鉄砲の構造的理由から命中精度が悪く、威力が弱い、等の欠点を持っている。そこで、左右方向の不安定を張力バランスローラーによって、又、上下方向の不安定を水平棒によって改善し、装填された輪ゴムが発射されるとき、進行方向を安定させて命中精度を向上させることが出来る。
【背景技術】
【０００２】子供の頃、割り箸や簡単な材料を使って輪ゴム鉄砲を作り遊んだ経験がある。現在色々な種類の物が作られている。その構造は鉄砲銃身先端へ輪ゴムを掛けて後ろへ引っ張り引き金の上の発射具に掛け、この発射具を「傾ける」「引っ込める」「回転させる」等の方法で引っ掛かりを外す事で輪ゴムを発射する。しかし、安定した装填、発射は難しく輪ゴムの進行方向は定まらず命中精度が悪く、威力も弱い。
【発明の開示】
【発明が解決しょうとする課題】
【０００３】実際の鉄砲は火薬の爆発力、又は、空気圧力の作用方向と弾丸の進行方向は完全に一致しているのに比べ、輪ゴム鉄砲の構造は、鉄砲先端の輪ゴムを引っ掛ける位置が輪ゴムの進行方向線の下になる。すなわち輪ゴムの進行方向は銃身上の面に沿って進行するが、ゴム張力は発射具と輪ゴム引っ掛け具を結ぶ線にかかり銃身上面線より下に角度誤差となり、輪ゴムと銃身上面の摩擦により上下方向が不安定となる。又、輪ゴムを左右の張力誤差が無い状態で掛ける事は難しく、輪ゴム発射の左右方向が不安定となり左右どちらかへ曲がってしまう。等その性能が不安定な為、歴史のある身近な道具だが、現在においても有用な実用品は存在しない。
【課題を解決するための手段】
【０００４】本発明は、輪ゴム鉄砲の命中精度と性能を高める為のものである。この輪ゴム鉄砲の構造は、銃身３先端にマイクロベアリング４を仕込んだ張力バランスローラー１を垂直に取り付け、この張力バランスローラー１に輪ゴム８を掛けて、引き金上の発射具まで引っ張って掛ける。このとき左右の輪ゴム張力に差が有れば張力の強い方へ張力バランスローラー１が回転することにより左右張力のバランスを均衡させて左右方向の輪ゴム進行を安定させる。しかし、ゴム張力バランスローラー１を、その上面が発射時の輪ゴム進行線である銃身３上面の延長線より低い位置、すなわち輪ゴム進行の邪魔にならないように取り付ける。そのため輪ゴムの掛かる位置は輪ゴムの進行線の下になり、進行方向とゴム張力が作用する方向に角度誤差が生じる。これを補正するため張力バランスローラー１の後方の位置に水平にピン７を取り付け、このピン７に円筒状ローラー６を差し込んだ回転可能な水平棒２を取り付ける。このピンの上下位置は、円筒状ローラー６の円周面の上が銃身３上面と一致する位置に取り付ける。張力バランスローラー１に掛けた左右の輪ゴム８の内面が上になるように水平棒２に乗せながら後方に引っ張り、引き金上の発射具へ掛け、引き金を引いて輪ゴム８を発射することにより、張力は発射具と水平棒２の上面を結ぶ線にかかりまた輪ゴム８の進行方向もこの線と一致させることが出来る。張力バランスローラー１と水平棒２の組み合わせにより命中精度を向上させる事が出来る。又、使用する輪ゴムを断面が、厚さ１ｍｍ、切幅６ｍｍの長方形で、折長さは１００〜１５０ｍｍの物を使用した場合、かなりの威力となり、命中精度と威力を備えた輪ゴム鉄砲とすることが出来る。
【発明の効果】
【０００５】このようにすれば、標的として３ｍ程度離れた位置に置いたマッチ箱を正確に勢い良く跳ね飛ばす事が可能となる命中精度と威力を兼ね備えた輪ゴム鉄砲が出来上がり、その可能性を広げる。
【発明を実施するための最良の形態】
【０００６】この発明は、輪ゴム鉄砲の命中精度と威力を高めた事により、害虫駆除、害獣害鳥威嚇、遊具としての標的射撃、等その使用範囲を広める事が出来る。威力を高めたとは言え所詮輪ゴムの事で、人に当たった場合、目に当たれば涙目になる程度のダメージは有るが、弾丸を使った銃とは違い怪我をするほどの事は無く、動物や鳥にもダメージを与えることは無いが、威嚇し追い払う事が出来る。しかし、約３ｍ以内のゴキブリ、ムカデ、クモ、ハエ、蚊、蜂、蛾、などの害虫は仕留める事が出来、ゴキブリ駆除に殺虫剤スプレーや粘着シート等が広く使われているが、化学薬品、紙、粘着財、を使わずに環境破壊が無く、狩猟本能を楽しみながら人畜無害の害虫駆除具、又、害獣害鳥追い払い具とすることが出来る。
【図面の簡単な説明】
【０００７】
【図１】輪ゴム鉄砲先端の張力バランスローラーと水平棒の上面図である。
【図２】輪ゴム鉄砲先端の張力バランスローラーと水平棒の側面図である。
【図３】張力バランスローラーと水平棒に輪ゴムを装填した上面図である。
【図４】張力バランスローラーと水平棒に輪ゴムを装填した側面図である。
【符号の説明】
【０００８】１  張力バランスローラー
２  水平棒
３  銃身
４  マイクロベアリング
５  取り付けボルト
６  ローラー
７  ピン
８  輪ゴム
【図１】
2008302178.tif 000003
【図２】
2008302178.tif 000004
【図３】
2008302178.tif 000005
【図４】
2008302178.tif 000006
(57)【要約】【課題】  今までの学習カードの中には、神経衰弱方式による学習カードは有ったが、カードの内容をある程度理解していなければゲームを進行する事は難しかった。そこでカードを単純にし、カードに書かれている読み方や、内容が理解していなくてもゲームを進行する事が出来、ゲームを進め繰り返すことにより、自然にカードを暗記する事の可能な学習カードを提供する。【解決手段】  同じ学習カードを２枚ずつの構成にした学習カードであり、文字や記号、絵、国旗など幅広い分野での学習を可能にした学習カードである。【選択図】図１
2008302172.tif 000002
【特許請求の範囲】
【請求項１】
本発明の学習カードの特徴は、全てのカードが必ず２枚ずつの同じカードにより構成する事で、トランプゲームの神経衰弱と同じような要領で学習する事を可能にした学習カードである。又、裏面は全てのカードが同じデザインにになっていて、神経衰弱がしやすいデザインと、トランプサイズの大きさになってる。
【請求項２】
学習カードの内容は、ひらがな、カタカナ、漢字、ローマ字、アルファベット、数字、記号、絵、写真、国旗などであり、カード１、カード１’の様に、種類の違った文字や、記号や絵などを一枚のカードに組み合わせるのも一つの方法である。さらに文字の場合は、文字数は一文字以上であれば上限は無く、動詞、名詞、形容詞、単語熟語、文法、法則などもカードにする事もでき、国語、算数、理科、社会、外国語、一般知識など幅広い分野で学習ができるカードである。
【発明の詳細な説明】
【技術分野】
【０００１】  本発明は、同じ学習カードを２枚ずつの構成にする事でもっとも簡単に神経衰弱と同じ方法で、ゲームをする事を可能にした学習カードに関する。
【背景技術】
【０００２】  従来、市場に提供されている神経衰弱方式による学習カードは、漢字と絵を一致させるカードや、おのおの違った２枚のカードで一つの漢字にする方法はあった。【０００３】
【特許文献１】特開２００２−０２８２７７
【０００４】  上記のようなカードでは、幼児や外国人のようにカード内容が全く解らない人には、ゲームを進行できるようになる迄には時間が掛かり、飽きてしまう。
【発明の開示】
【発明が解決しようとする課題】
【０００５】  従来の複雑な構成のカードでは無く、本発明の学習カードは内容が全く理解していなくても、神経衰弱の方法で同じカードを２枚一致させるといった単純な方法なので、ゲームを進行させながら学習できる事を、最重要課題とした。また、同じカードを２枚一致させるだけなので、幅広い分野での学習カードにする事が可能である。
【課題を解決する為の手段】
【０００６】  本発明では、上記の課題を解決する為に、請求項１の手段として、図１の様に同じカードを２枚ずつの構成にすることで、簡単に神経衰弱と同じようなゲームをする事が出来、ゲームを進めながら暗記できる学習カードにした。
【０００７】  上記の学習カードは、ゲームの進行をしながら学習する目的意図がある。そしてカード１、カード２の様に色々な文字や記号、絵などを組み合わせたカードにする方法もある。
【発明の効果】
【０００８】  同じ学習カード２枚の構成による神経衰弱方式学習カードは、ルールが簡単なで、ゲームを進めながらカード内容を少しずつ暗記し、学ぶ事ができる。
【発明の実施するための最良の形態】
【０００９】  本発明の学習カードの質は、紙や軟質台成樹脂等の素材を利用する方法もある。
【００１０】  カードの裏面は、神経衰弱がしやすい様なデザインで、表面は学習したい内容が描かれていて、両面とも絵図等などを印刷し、幼児などでも楽しめる様にする方法もある。
【００１１】  カードだけなく、パソコンやテレビゲームなどでもこの方法が可能である。
【実施例】
【００１２】  図面を参照して説明する。【００１３】  図１のカード１、カード１′は同じカードであり正面図である。同じようにカード２とカード２′、カード３とカード３′、カード４とカード４′カード５とカード５′、カード６とカード６′は同じ２枚のカードである。図２は、図１のカード１２枚の裏面図である。図１のカードをよくかき混ぜてる。そして全て裏面にし、机や床などに重ならない様に不規則に並べる。プレーヤーは、好きなカードをその場で２枚表にめくり、その２枚のカードが同じであればそれを得る事がでる。２枚のカードが異なれば、カードを元通りに伏せる。全てのカードが取られる迄繰り返す。得たカードの多いプレーヤーが勝ちとなる。【００１４】  図１のカードの枚数には、上限は無くレベルによって組み合わせの数や、内容を変える方法もある。【００１５】  上記のカードに使用する学習内容は、ひらがな、カタカナ、漢字、ローマ字、アルファベット、単語、熟語、記号、数字、絵、写真、法則、方程式などで、文字数は、一文字以上であれば上限は無く、カード１の様に色々な文字や絵、記号などとの組み合わせたカードにする方法もある。【００１６】  さらにカード３、カード６様に、様々な国の言葉のカードにする方法もあり、幅広い分野の学習が可能な学習カードである。【００１７】  図２の裏面図のデザインは、人気キャラクターのデザインや、乗り物、動物など色々なデザインや模様で、構成する方法もある。
【図面の簡単な説明】
【００１８】
【図１】学習カードの正面図である。
【図２】学習カードの裏面図である。
【符号の説明】
【００１９】１    １６００年関ヶ原の戦いと書いた学習カードの正面図
１′  １６００年関ヶ原の戦いと書いた学習カードの正面図
２    はれの記号が書いてある学習カード正面図
２′  はれの記号が書いてある学習カード正面図
３    英語でＲＵＮと書いた学習カード正面図
３′  英語でＲＵＮと書いた学習カード正面図
４    アルファベットのＡと書いた学習カード正面図
４′  アルファベットのＡと書いた学習カード正面図
５    日本語で東京都と書いた学習カード正面図
５′  日本語で東京都と書いた学習カード正面図
６    ハングル文字でトンと書いた学習かード正面図
６′  ハングル文字でトンと書いた学習かード正面図
【図１】
2008302172.tif 000003
【図２】
2008302172.tif 000004
(57)【要約】【課題】  本発明の本体マッサージ器は、圧縮器、ローラ、前回転スイッチ、後ろ回転スイッチで構成されたもので、枠に、湯貯とマッサージ結合溝を設け、枠を本体マッサージ器に取り付け、枠に袋を取り付け、袋をプールにして、枠にふたを設け、ふたに取手を設け、枠に排水口パイプ、吸水口パイプを取り付けたことを特徴とした圧縮ローラ付足湯電動マッサージに関するものである。【解決手段】  本体マッサージ器（４）は、圧縮器（９）、ローラ（１０）、前回転スイッチ（１１）、後ろ回転スイッチ（１２）で構成されたもので、枠（１）に、湯貯（３）とマッサージ結合溝（２）を設け、枠（１）を本体マッサージ器（４）に取り付け、枠（１）に袋（５）を取り付け、袋（５）をプール（６）にして、枠（１）にふた（７）を設け、ふた（７）に取手（８）を設け、枠（１）に排水口パイプ（１３）、吸水口パイプ（１４）を取り付けたことを特徴とした圧縮ローラ付足湯電動マッサージ。【選択図】図１
2008302174.tif 000002
【特許請求の範囲】
【請求項１】
本体マッサージ器（４）は、圧縮器（９）、ローラ（１０）、前回転スイッチ（１１）、後ろ回転スイッチ（１２）で構成されたもので、枠（１）に、湯貯（３）とマッサージ結合溝（２）を設け、枠（１）を本体マッサージ器（４）に取り付け、枠（１）に袋（５）を取り付け、袋（５）をプール（６）にして、枠（１）にふた（７）を設け、ふた（７）に取手（８）を設け、枠（１）に排水口パイプ（１３）、吸水口パイプ（１４）を取り付けたことを特徴とした圧縮ローラ付足湯電動マッサージ。
【発明の詳細な説明】
【技術分野】
【０００１】  本発明の本体マッサージ器は、圧縮器、ローラ、前回転スイッチ、後ろ回転スイッチで構成されたもので、枠に、湯貯とマッサージ結合溝を設け、枠を本体マッサージ器に取り付け、枠に袋を取り付け、袋をプールにして、枠にふたを設け、ふたに取手を設け、枠に排水口パイプ、吸水口パイプを取り付けたことを特徴とした圧縮ローラ付足湯電動マッサージに関するものである。
【背景技術】
【０００２】  従来、マッサージ器は、バイブ型、振動式、足湯フットローラ、足ツボのブラシで、刺激を感じる程度の器具で、それぞれ単品であった。
【発明が解決しようとする課題】
【０００３】  そのためにつぎのような問題点があった。
従来は、遠赤外線、泡湯で温めるだけの足湯もあるが効果が低く、十分満たされず、不能の状態であった。
冷え切った足に挟むマッサージもあるが、さほど、効果がなく、十分満足感が得られず人気がなかった。
そのため、本発明は十分な温度を保ち、電動ローラ圧縮足湯マッサージで組み合わせたことで解決した。
【課題を解決するための手段】
【０００４】  本体マッサージ器（４）は、圧縮器（９）、ローラ（１０）、前回転スイッチ（１１）、後ろ回転スイッチ（１２）で構成されたもので、枠（１）に、湯貯（３）とマッサージ結合溝（２）を設け、枠（１）を本体マッサージ器（４）に取り付け、枠（１）に袋（５）を取り付け、袋（５）をプール（６）にして、枠（１）にふた（７）を設け、ふた（７）に取手（８）を設け、枠（１）に排水口パイプ（１３）、吸水口パイプ（１４）を取り付ける。
以上のように構成された圧縮ローラ付足湯電動マッサージ。
【発明の効果】
【０００５】  お風呂では、身体や血圧、心臓には、飲酒後の長風呂は身体に支障が起きることがある。
この点、足湯は長湯でも、快適に安心してリラックスでき、熟睡もできて、疲労回復が早く、安らぎそのものである。
【発明を実施するための最良の形態】
【０００６】  本体マッサージ器（４）は、圧縮器（９）、ローラ（１０）、前回転スイッチ（１１）、後ろ回転スイッチ（１２）で構成する。
枠（１）に、湯貯（３）とマッサージ結合溝（２）を設ける。
枠（１）を本体マッサージ器（４）に取り付ける。
枠（１）に袋（５）を取り付ける。
袋（５）をプール（６）にして、枠（１）にふた（７）を設ける。
ふた（７）に取手（８）を設ける。
枠（１）に排水口パイプ（１３）、吸水口パイプ（１４）を取り付ける。
本発明は以上のような構成よりなる圧縮ローラ付足湯電動マッサージである。
本発明の使い方を説明する。
本体マッサージ器（４）に枠（１）を取り付ける。
マッサージ器のローラ（１０）の溝に枠（１）の溝（２）に固定する。
枠（１）に袋（５）をかぶせる。
袋（５）にバケツかホースで注水する。
排水パイプに（１３）、吸水パイプ（１４）をプール（６）に取り付ける。
取手（８）を持って、ふた（７）をかぶせる。
プール（６）にお湯を注ぐ。
プール（６）の保温ができ、プール（６）の温度の調節ができる。
ローラ（１０）を前後スイッチで切替えながら足をほぐす。
圧縮器（９）で、両足の前後に回転ができる。
プール（１０）に約２０分間単位で連続できるので、足だけでなく、身体全体までがリラックスできる。
マッサージ器（４）とお湯のプール（６）、それぞれ、単品のときは、十分な効果が生まれなかったが、マッサージ器（４）とお湯プール（６）が結合したことによって、本格化し、しばし満足できる。
袋（５）を取外して、冷水を袋（５）に入れ替えて、排水パイプ（１３）、吸水パイプ（１４）を取り替えると、プール（６）が冷水に変わる。
温水と冷水の両方の使い分けができる。
【図面の簡単な説明】
【０００７】
【図１】  本発明の分解斜視図である。
【図２】  本発明の使用状態を示した斜視図である。
【図３】  本発明の使用状態を示した説明図である。
【符号の説明】
【０００８】  １    枠
２    マッサージ結合溝
３    湯貯
４    本体マッサージ器
５    袋
６    プール
７    ふた
８    取手
９    圧縮器
１０  ローラ
１１  前回転スイッチ
１２  後ろ回転スイッチ
１３  排水口パイプ
１４  吸水口パイプ
【図１】
2008302174.tif 000003
【図２】
2008302174.tif 000004
【図３】
2008302174.tif 000005
(57)【要約】【課題】  内視鏡洗浄において、従来の用手洗浄に用いる全管路洗浄具は、３０ｃｃのシリンジを使って管路内に洗浄液や濯ぎ水を２００ｍｌ〜４００ｍｌ送液しなければならない。しかしそれは、手動で送液するためかなりの力を要し、洗浄者の肉体的負担は大きく、時間と手間がかかると言う問題があった。【解決手段】    濯ぎ水が水道の蛇口から管路内に直接送水できるようにするために、まず、送水チューブの一端にホースコネクタを具備し、そのチューブの下端に従来の全管路送液チューブ２本を連結し構成した。これにより洗浄具は容易に蛇口に取り付けられ、送液チューブを内視鏡に連結し、水道の蛇口を開栓するだけで一気に水が管路内に還流し、洗浄者の手間は省け、時間は短縮され、水圧が高まりクリップなどの詰りにも対応できるようになった。【選択図】図１
2008302181.tif 000002
【特許請求の範囲】
【請求項１】
送水チューブの中央に薬液注入口と水路切り換え用のストッパーを有し、その送水チューブの一端部に２本の全管路送液チューブを、下端部にホースコネクタを具備し、そのホースコネクタによってワンタッチで水道の蛇口に一体化することでき、内視鏡の管路内に水道水を直接送水することを特徴とした全管路洗浄具。
【発明の詳細な説明】
【技術分野】
【０００１】  本発明は、全管路内を重点的に洗浄する内視鏡全管路洗浄具に関する。
【背景技術】
【０００２】  使用後の内視鏡は、二次感染を防止するため、ガイドラインに遵守した用手洗浄をすることが最も重要で、その後の消毒効果に大きく作用すると言われている。
従来の用手洗浄に用いる全管路洗浄具は、図２に示すように吸引口１を洗浄液や濯ぎ水の入ったコップの中に入れ、接続されたチューブ２の端に２口の逆流防止弁付きホルダー３が設置され、２本の送液チューブ４，５を内視鏡の送気管と吸引口金に装着し、ホルダー３に取り付けたシリンジを用いピストンを引いて水を吸引し、ピストンを押して洗浄液や濯ぎ水を全管路内に送水し洗浄するように作られた洗浄具である。
【非特許文献】「全管路洗浄具カタログ  ＭＨ−９４６」オリンパス株式会社
【発明の開示】
【発明が解決しようとする課題】
【０００３】  しかしながら以上の技術によると、３０ｃｃのシリンジを用いて２００ｍｌ以上の濯ぎ水を手で送水する作業はかなりの力を要し洗浄者の負担は大きい。しかも２本の送液チューブ各々に送水する必要があり手間と時間がかかる。また、手動でする為に水圧は得られず、切り換えの度に濯ぎ水が管路内に停滞し、汚物を速やかに洗い流すことができない。用手洗浄の工程において内視鏡の全管路の洗浄は必要な作業ではあるが、容易に出来る作業ではないことを課題とする。【０００４】  本発明は、前記課題よりその目的とするところは、内視鏡の全管路の送水作業において洗浄効果を低下させることなく洗浄者の負担を軽減し、洗浄時間の短縮を図ることで、迅速かつ能率的に洗浄作業を行うことが出来る全管路洗浄具を提供する。
【課題を解決するための手段】
【０００５】  本発明は、送水チューブの一端部に全管路を洗浄する為に２本の全管路送液チューブを連結し、その下端部にホースコネクタを具備し、そのホースコネクタによってワンタッチで水道の蛇口と一体化でき、内視鏡の管路内に水道水を直接送水することを特徴とする。【０００６】  またその送水チューブの中央に薬液注入のためＴ字管を有し、その上部に送水経路を簡単に切り換えられる移動式ストッパーを装着した全管路洗浄具である。
【発明の効果】
【０００７】送水チューブに薬液注入口を取り付けたことで、洗浄液等が容易に注入出来、ストッパーを移動させるだけで簡単に送水経路が切り換わる。そして全管路チューブとホースコネクタを具備した洗浄具本体は、ワンタッチで水道の蛇口に取り付けられ、蛇口を開栓するだけで水道から直接加圧された多量の濯ぎ水が全管路内に同時に送水され、迅速且つ能率的に洗浄を行うことが出来るようになり、クリップなどの詰りにも対応でき、さらに送水作業の手間が省け洗浄者の負担は軽減され時間の短縮にも繋がった。
【発明を実施するための最良の形態】
【０００８】  この発明の一実施形態を図１〜図３に示す。
全管路洗浄具の商品使用は、送液チューブ４，５と送水チューブ１２はシリコンであり、蛇口用ニップル６とホースロットナット８とコネクタ１０とＴ字管１３とＴニップル１４はポリアセタールであり、ホースコネクタ７とスライド式ストッパー１１はポリプロピレンであり、送気口接続口１５はゴムであり、チェーン１７とメッシュフィルタ１８はステンレスである。【０００９】  図１は第１の実施例に係わる全管路洗浄具を示している。蛇口用ニップル６は水道の蛇口に接続する。その内都には、図３に示すメッシュフィルタ１８を内蔵している。蛇口用ニップル６に水道ホース９をつないで、ホースロットナット８を捻じ込んで留める。水道ホース９と送水チューブ１２をコネクタ１０で連結し、送水チューブ１２の中央にＴ字管１３を設置し、コネクタ１０とＴ字管１３の間に送水経路切り換え用のストッパー１１を装備する。【００１０】  また、送水チューブ１２の一端部にＴ字型のＴニップル１４を設置する。内視鏡につなぐための図２の従来の技術に使われていた送液チューブ４，５を切り取りＴニップル１４に接続する。こうして蛇口用ニップル６から送気口接続口１５までを一体化したものが全管路洗浄具となる。
【実施形態の効果】
【００１１】  この実施形態によれば蛇口用ニップル６を水道の蛇口に装備すると、ホースコネクタ７がワンタッチで装着でき、ストッパー１１をスライドして開き、水道の蛇口を開栓するだけで水道水は送水チューブ１２からＴニップル１４を通り、送液チューブ４，５に送水され、その先の送気口接続口１５から内視鏡の送気口に吸引口接続口１６から内視鏡の吸引口金を経由して一気に内視鏡の全管路に還流され濯ぎが迅速かつ能率的に行える。またＴ字管１３は、洗浄剤や消毒液を注入する薬液注入口で、ストッパー１１を閉じて薬液を注入すると、内視鏡に容易に注入することができる。
【他の実施形態】
【００１２】  図１の実施形態によれば、水路変換の切り換えをストッパー１１を使用していたが、Ｔ字管１３の機能も備えた三方活栓を設けたものでもよい。
【図面の簡単な説明】
【００１３】
【図１】本発明の一実施形態を示す平面図
【図２】従来技術を示す斜面図
【図３】本発明の一実施形態の蛇口用ニップル６を示す正面図
【符号の説明】
【００１３】    １  吸引口    ２  全管路洗浄具（吸引チューブ）
３  逆流防止弁付き二口ホルダー
４  全管路洗浄具（送液チューブ・鉗子管路用）
５  全管路洗浄具（送液チューブ・送気  送水管路用）
６  蛇口用ニップル    ７  ホースコネクタ    ８  ホースロットナット
９  水道ホース    １０  コネクタ    １１  スライド式ストッパー
１２  送水チューブ    １３  Ｔ字管    １４  Ｔニップル
１５  送気口接続口    １６  吸引口接続口    １７  チェーン
１８  メッシュフイルタ
【図１】
2008302181.tif 000003
【図２】
2008302181.tif 000004
【図３】
2008302181.tif 000005